(57)【要約】【課題】  差動出力の遅れを是正し、定着ローラ等の異常温度を精度良く検出する異常温度検出回路を提供すること。【解決手段】  検知用サーミスタと補償用サーミスタとを有して検知用サーミスタの出力と補償用サーミスタの出力とに基づいた差動出力を算出する差動出力算出回路部Ｃ１と、検知用サーミスタが検知した温度が異常温度であると判定する判定用しきい値を設定して出力するしきい値設定回路部Ｃ２と、差動出力が、出力された判定用しきい値より低い場合又は高い場合に、異常温度検出信号を出力する異常温度判定回路部Ｃ３とを備え、差動出力算出回路部が、検知用サーミスタの出力を遅延させた遅延出力を用いて差動出力を算出するための遅延加算値を出力する遅延加算回路部Ｅ１と、遅延加算値と補償用サーミスタの出力との差に応じた値を差動出力とする出力用差動増幅部Ｂ３とを備えている。【選択図】図１
2019138823.tif 000002
【特許請求の範囲】
【請求項１】
検知用サーミスタと補償用サーミスタとを有して前記検知用サーミスタの出力と前記補償用サーミスタの出力とに基づいた差動出力を算出する差動出力算出回路部と、
前記検知用サーミスタが検知した温度が異常温度であると判定する判定用しきい値を設定して出力するしきい値設定回路部と、
前記差動出力が、出力された前記判定用しきい値より低い場合又は高い場合に、異常温度検出信号を出力する異常温度判定回路部とを備え、
前記差動出力算出回路部が、前記検知用サーミスタが検知した温度が上昇する際に、前記検知用サーミスタの出力を遅延させた遅延出力を用いて前記差動出力を算出するための遅延加算値を出力する遅延加算回路部と、
前記遅延加算値と前記補償用サーミスタの出力との差に応じた値を前記差動出力とする出力用差動増幅部とを備え、
前記遅延加算回路部が、前記検知用サーミスタの出力を遅延させた前記遅延出力を出力する遅延回路部と、
前記遅延出力に対する前記検知用サーミスタの出力の差分に応じた第１遅延差分値と前記検知用サーミスタの出力とを加算して初期加算値を出力する第１差動増幅部と、
前記検知用サーミスタの出力に対する前記初期加算値の差分に応じた第２遅延差分値と前記検知用サーミスタの出力とを加算して前記遅延加算値として出力とする第２差動増幅部とを備えていることを特徴とする異常温度検出回路。
【請求項２】
請求項１に記載の異常温度検出回路において、
前記遅延加算回路部が、前記検知用サーミスタが検知した温度が上昇する場合以外で前記遅延出力を出力しない遅延防止回路部を備えていることを特徴とする異常温度検出回路。
【請求項３】
請求項１又は２に記載の異常温度検出回路において、
前記遅延回路部が、前記遅延の遅延量を調整可能なコンデンサを備えていることを特徴とする異常温度検出回路。
【請求項４】
請求項１から３のいずれか一項に記載の異常温度検出回路において、
前記検知用サーミスタが、画像形成装置の定着ローラの温度を測定する温度センサであることを特徴とする異常温度検出回路。
【発明の詳細な説明】
【技術分野】
【０００１】
本発明は、例えば定着ローラ等が異常温度になったことを判定可能なサーミスタを用いた異常温度検出回路に関する。
【背景技術】
【０００２】
従来、複写機やプリンタ等の定着ローラ等の測定対象物から輻射により放射される赤外線を非接触で検出して測定対象物の温度を測定する温度センサとして、サーミスタが使用されている。このようなサーミスタで定着ローラ等の温度を測定する場合、定着ローラ等が加熱して異常温度に達した際に装置を停止させる必要があるため、サーミスタで検知した温度から定着ローラ等の高温異常を検出する異常温度検出回路が装置に用いられている。
【０００３】
例えば、特許文献１には、非接触温度センサにおいて温度検出回路と比較演算回路とを用いた技術が記載されている。すなわち、これらの回路では、温度補償用感熱素子と赤外線検知用感熱素子との差動出力に基づいて周囲の温度の影響を相殺した定着ローラの表面温度の出力信号ΔＴを得ると共に、出力信号ΔＴと温度設定回路のしきい値とを比較演算することで、定着装置の温度制御を行っている。また、特許文献１では、他の方法として、マイクロコンピュータを用いたデジタル方式の温度制御回路を用いて定着ローラの表面温度を検出し、定着温度制御を行う技術も記載されている。
【０００４】
また、特許文献２には、検知用サーミスタと補償用サーミスタとを有して検知用サーミスタの出力と補償用サーミスタの出力との差動出力を検出する差動出力算出回路部と、検知用サーミスタが検知した温度が異常温度であると判定する判定用しきい値を補償用サーミスタの出力に基づいて変えて出力するアナログ回路であるしきい値設定回路部と、差動出力が、出力された判定用しきい値より低い場合又は高い場合に、異常温度検出信号を出力する異常温度判定回路部とを備えた異常温度検出回路が記載されている。
【０００５】
この異常温度検出回路では、判定用しきい値の設定に補償温度出力を用いることで、サーミスタの抵抗−温度特性の非線形性に対応して判定用しきい値が変化し、特許文献１の技術よりも広い温度範囲で異常温度を簡易な回路により高精度に検出することができるものである。
【先行技術文献】
【特許文献】
【０００６】
【特許文献１】特開２００８−１１１８４９号公報（段落番号００２９〜００３２、図７、図８）
【特許文献２】特開２０１７−１０６７４０号公報
【発明の概要】
【発明が解決しようとする課題】
【０００７】
上記従来の技術には、以下の課題が残されている。
検知用サーミスタの出力と補償用サーミスタの出力との差動出力をそのまま用いる図６に示すような従来の異常温度検出回路では、図７に示すように、対象物温度が上昇して検出用サーミスタが検知する温度が上昇する場合、判定用しきい値ＶＴＨＲより差動出力が下がったときに異常温度検出信号を出力するが、サーミスタ要因の応答特性の立ち上がりが遅延することで差動出力が遅れるため、異常温度検出信号の出力時には、実際の対象物温度はしきい値の温度よりも上がってしまっているという不都合があった。
【０００８】
本発明は、前述の課題に鑑みてなされたもので、差動出力の遅れを是正し、定着ローラ等の異常温度を精度良く検出する異常温度検出回路を提供することを目的とする。
【課題を解決するための手段】
【０００９】
本発明は、前記課題を解決するために以下の構成を採用した。すなわち、第１の発明に係る異常温度検出回路は、検知用サーミスタと補償用サーミスタとを有して前記検知用サーミスタの出力と前記補償用サーミスタの出力とに基づいた差動出力を算出する差動出力算出回路部と、前記検知用サーミスタが検知した温度が異常温度であると判定する判定用しきい値を設定して出力するしきい値設定回路部と、前記差動出力が、出力された前記判定用しきい値より低い場合又は高い場合に、異常温度検出信号を出力する異常温度判定回路部とを備え、前記差動出力算出回路部が、前記検知用サーミスタが検知した温度が上昇する際に、前記検知用サーミスタの出力を遅延させた遅延出力を用いて前記差動出力を算出するための遅延加算値を出力する遅延加算回路部と、前記遅延加算値と前記補償用サーミスタの出力との差に応じた値を前記差動出力とする出力用差動増幅部とを備え、前記遅延加算回路部が、前記検知用サーミスタの出力を遅延させた前記遅延出力を出力する遅延回路部と、前記遅延出力に対する前記検知用サーミスタの出力の差分に応じた第１遅延差分値と前記検知用サーミスタの出力とを加算して初期加算値を出力する第１差動増幅部と、前記検知用サーミスタの出力に対する前記初期加算値の差分に応じた第２遅延差分値と前記検知用サーミスタの出力とを加算して前記遅延加算値として出力とする第２差動増幅部とを備えていることを特徴とする。
【００１０】
この異常温度検出回路では、遅延加算回路部が、検知用サーミスタの出力を遅延させた遅延出力を出力する遅延回路部と、遅延出力に対する検知用サーミスタの出力の差分に応じた第１遅延差分値と検知用サーミスタの出力とを加算して初期加算値を出力する第１差動増幅部と、検知用サーミスタの出力に対する初期加算値の差分に応じた第２遅延差分値と検知用サーミスタの出力とを加算して遅延加算値として出力とする第２差動増幅部とを備えているので、サーミスタ要因の応答特性の遅延を改善することができる。
すなわち、遅延出力を用いた遅延加算回路部による差動出力が、従来の差動出力のカーブに比べて急峻なカーブを描いて変化することで、サーミスタ要因の応答特性の立ち上がりが改善され、実際の測定対象物が判定用しきい値の温度に達した際に、遅延無く異常温度検出信号を出力することが可能になる。
【００１１】
第２の発明に係る異常温度検出回路は、第１の発明において、前記遅延加算回路部が、前記検知用サーミスタが検知した温度が上昇する場合以外で前記遅延出力を出力しない遅延防止回路部を備えていることを特徴とする。
すなわち、この異常温度検出回路では、遅延加算回路部が、検知用サーミスタが検知した温度が上昇する場合以外で遅延出力を出力しない遅延防止回路部を備えているので、検知用サーミスタが検知した温度が下降する場合に、遅延出力を用いた遅延加算回路部による差動出力であると逆効果となり、逆に測定対象物の温度とのずれが大きくなってしまうことを防止できる。
【００１２】
第３の発明に係る異常温度検出回路は、第１又は第２の発明において、前記遅延回路部が、前記遅延の遅延量を調整可能なコンデンサを備えていることを特徴とする。
すなわち、この異常温度検出回路では、遅延回路部が、前記遅延の遅延量を調整可能なコンデンサを備えているので、コンデンサの容量設定に応じて遅延量を容易に調整することができる。
【００１３】
第４の発明に係る異常温度検出回路は、第１から第３の発明のいずれかにおいて、前記検知用サーミスタが、画像形成装置の定着ローラの温度を測定する温度センサであることを特徴とする。
すなわち、この異常温度検出回路では、検知用サーミスタが、画像形成装置の定着ローラの温度を測定する温度センサであるので、定着ローラの高温異常を高精度に検知して加熱を停止させることが可能になる。
【発明の効果】
【００１４】
本発明によれば、以下の効果を奏する。
すなわち、本発明に係る異常温度検出回路によれば、遅延加算回路部が、検知用サーミスタの出力を遅延させた遅延出力を出力する遅延回路部と、遅延出力に対する検知用サーミスタの出力の差分に応じた第１遅延差分値と検知用サーミスタの出力とを加算して初期加算値を出力する第１差動増幅部と、検知用サーミスタの出力に対する初期加算値の差分に応じた第２遅延差分値と検知用サーミスタの出力とを加算して遅延加算値として出力とする第２差動増幅部とを備えているので、サーミスタ要因の応答特性の遅延を改善することができる。
したがって、検知用サーミスタを、画像形成装置の定着ローラの温度を測定する温度センサとすることで、定着ローラの高温異常を高精度に検知して加熱を停止させることが可能になる。
【図面の簡単な説明】
【００１５】
【図１】本発明に係る異常温度検出回路の一実施形態を示すブロック図である。
【図２】本実施形態において、異常温度検出回路を示す回路図である。
【図３】本実施形態において、第１差動増幅部Ｅ３のアンプＡ３及び第２差動増幅部Ｅ４のアンプＡ４における入出力電圧波形を示すグラフである。
【図４】本実施形態において、出力用差動増幅部のアンプＡ５及び異常温度判定回路部Ｃ３のアンプＡ６における出力電圧波形を示すグラフである。
【図５】本実施形態における異常温度検出回路の差動出力ＶＤＩＦと参照回路の差動出力ＶＤＩＦとを比較した電圧波形と、測定対象物の温度変化とを合わせて示すグラフである。
【図６】遅延加算回路部を有さない参照回路を示す回路図である。
【図７】本発明に係る従来例における差動出力ＶＤＩＦの電圧波形と、測定対象物の温度変化とを合わせて示すグラフである。
【発明を実施するための形態】
【００１６】
以下、本発明に係る異常温度検出回路の一実施形態を、図１から図６を参照しながら説明する。
【００１７】
本実施形態の異常温度検出回路１は、例えば画像形成装置の定着ローラの高温異常を検出する回路であって、図１及び図２に示すように、検知用サーミスタＲＴ１と補償用サーミスタＲＴ２とを有し検知用サーミスタＲＴ１の出力ＶＤＥＴと補償用サーミスタＲＴ２の出力ＶＲＥＦとに基づいた差動出力（差動電圧）ＶＤＩＦを算出する差動出力算出回路部Ｃ１と、検知用サーミスタＲＴ１が検知した温度が異常温度であると判定する判定用しきい値ＶＴＨＲを設定して出力するしきい値設定回路部Ｃ２と、差動出力ＶＤＩＦが、出力された判定用しきい値ＶＴＨＲより低い場合に、異常温度検出信号（信号出力ＶＣＯＭ）を出力する異常温度判定回路部Ｃ３とを備えている。
【００１８】
上記差動出力算出回路部Ｃ１は、検知用サーミスタＲＴ１が検知した温度が上昇する際に、検知用サーミスタＲＴ１の出力ＶＤＥＴを遅延させた遅延出力ＶＡ３ＩＮ＋を用いて差動出力ＶＤＩＦを算出するための遅延加算値ＶＡ４ＯＵＴを出力する遅延加算回路部Ｅ１と、遅延加算値ＶＡ４ＯＵＴと補償用サーミスタＲＴ２の出力ＶＲＥＦとの差に応じた値を差動出力ＶＤＩＦとする出力用差動増幅部Ｂ３とを備えている。
【００１９】
上記遅延加算回路部Ｅ１は、検知用サーミスタＲＴ１の出力ＶＤＥＴを遅延させた遅延出力ＶＡ３ＩＮ＋を出力する遅延回路部Ｅ２と、遅延出力ＶＡ３ＩＮ＋に対する検知用サーミスタＲＴ１の出力ＶＤＥＴの差分に応じた第１遅延差分値と検知用サーミスタＲＴ１の出力ＶＤＥＴとを加算して初期加算値ＶＡ３ＯＵＴを出力する第１差動増幅部Ｅ３と、検知用サーミスタＲＴ１の出力ＶＤＥＴに対する初期加算値ＶＡ３ＯＵＴの差分に応じた第２遅延差分値と検知用サーミスタＲＴ１の出力ＶＤＥＴとを加算して遅延加算値ＶＡ４ＯＵＴとして出力とする第２差動増幅部Ｅ４とを備えている。
【００２０】
また、遅延加算回路部Ｅ１は、検知用サーミスタＲＴ１が検知した温度が上昇する場合以外で遅延出力ＶＡ３ＩＮ＋を出力しない遅延防止回路部Ｅ５を有している。
さらに、遅延回路部Ｅ２は、前記遅延の遅延量を調整可能なコンデンサＣ０を備えている。
【００２１】
上記検知用サーミスタＲＴ１は、赤外線を受光して温度を検出可能な非接触温度センサであり、測定対象物の定着ローラに対向配置され、定着ローラからの赤外線を受光して定着ローラの温度を測定可能になっている。また、補償用サーミスタＲＴ２は、検知用サーミスタＲＴ１と同構造であるが、定着ローラからの赤外線を遮断して周囲温度（補償温度）の検出が可能になっている。なお、検知用サーミスタＲＴ１及び補償用サーミスタＲＴ２は、ＮＴＣサーミスタ素子である。
【００２２】
上記差動出力算出回路部Ｃ１は、検知用サーミスタＲＴ１と補償用サーミスタＲＴ２と抵抗Ｒ１と抵抗Ｒ２と抵抗Ｒ３と抵抗Ｒ４とにより構成されたブリッジ回路部Ｂ１と、ブリッジ回路部Ｂ１による補償用サーミスタＲＴ２の出力（電圧）ＶＲＥＦが入力され増幅率が１で補償用サーミスタ電圧ＶＲＥＦを出力するアンプＡ１を有するバッファ部Ｂ２と、バッファ部Ｂ２を経由した補償用サーミスタ電圧ＶＲＥＦが入力されると共に遅延加算回路部Ｅ１が出力した遅延加算値ＶＡ４ＯＵＴが入力されこれらの差分（ＶＡ４ＯＵＴ−ＶＲＥＦ）を増幅し差動出力（差動電圧）ＶＤＩＦを出力する出力用差動増幅部Ｂ３とを備えている。
【００２３】
上記バッファ部Ｂ２は、補償用サーミスタ電圧ＶＲＥＦの出力抵抗を小さくするためのインピーダンス変換回路である。
上記しきい値設定回路部Ｃ２は、印加電圧を抵抗Ｒ１３／抵抗Ｒ１４で分圧して判定用しきい値ＶＴＨＲを設定し、異常温度判定回路部Ｃ３に出力している。
また、差動出力算出回路部Ｃ１は、検知用サーミスタＲＴ１の出力ＶＤＥＴが入力され増幅率が１で検知用サーミスタＲＴ１の出力ＶＤＥＴを出力するアンプＡ２を有するバッファ部Ｂ４を有している。
【００２４】
上記遅延回路部Ｅ３は、バッファ部Ｂ４のアンプＡ２に接続された抵抗Ｒ７とコンデンサＣ０とを有している。
【００２５】
上記異常温度判定回路部Ｃ３は、差動出力ＶＤＩＦと判定用しきい値ＶＴＨＲとの大小に応じた加熱を制御する信号出力ＶＣＯＭを出力する機能を有している。
すなわち、この異常温度判定回路部Ｃ３では、ＶＤＩＦ−ＶＴＨＲについてその大小に応じた固定値である信号出力ＶＣＯＭを出力する比較演算部であり、ＶＤＩＦ−ＶＴＨＲ＞０の場合、加熱を指示する信号出力ＶＣＯＭ（例えば、３．３Ｖ）を出力し、ＶＤＩＦ−ＶＴＨＲ＜０の場合、加熱停止を指示する信号出力ＶＣＯＭ（例えば、−３．３Ｖ）を出力する。
【００２６】
上記遅延防止回路部Ｅ５は、アンプＡ２に接続されアンプＡ２からの出力が入力されるダイオードＤ０と抵抗Ｒ８とで構成され、これらが抵抗Ｒ７と並列に接続されている。
【００２７】
本実施形態の異常温度検出回路１では、まず検知用サーミスタＲＴ１の出力（電圧）ＶＤＥＴは、増幅率が１のバッファ部Ｂ４のアンプＡ２を経由して第１差動増幅部Ｅ３のアンプＡ３に入力される。また、遅延回路部Ｅ２の抵抗Ｒ７とコンデンサＣ０とによって遅延された遅延出力（電圧）ＶＡ３ＩＮ＋は第１差動増幅部Ｅ３のアンプＡ３に入力される。第１差動増幅部Ｅ３のアンプＡ３においては、入力された検知用サーミスタＲＴ１の出力ＶＤＥＴと遅延出力ＶＡ３ＩＮ＋との差に対応する初期加算値（電圧）（ＶＡ３ＯＵＴ）が出力される。なお、初期加算値ＶＡ３ＯＵＴの増幅率は、抵抗Ｒ６／抵抗Ｒ５に依存する。
【００２８】
上記第１差動増幅部Ｅ３のアンプＡ３からの入出力電圧波形を、図３の（ａ）に示す。
また、上記第１差動増幅部Ｅ３での演算は、以下の式（１）により行われる。
ＶＡ３ＯＵＴ＝ＶＡ３ＩＮ＋＋（ＶＡ３ＩＮ＋−ＶＤＥＴ）・（Ｒ６／Ｒ５）    ・・・式（１）
なお、上記「（ＶＡ３ＩＮ＋−ＶＤＥＴ）・（Ｒ６／Ｒ５）」が、上記第１遅延差分値となる。
【００２９】
さらに、第１差動増幅部Ｅ３のアンプＡ３から出力される初期加算値ＶＡ３ＯＵＴと検知用サーミスタＲＴ１の出力ＶＤＥＴとが次段の第２差動増幅部Ｅ４のアンプＡ４に入力され、初期加算値ＶＡ３ＯＵＴと検知用サーミスタＲＴ１の出力ＶＤＥＴとの差に対応する遅延加算値（電圧）（ＶＡ４ＯＵＴ）が出力される。なお、遅延加算値ＶＡ４ＯＵＴの増幅率は、抵抗Ｒ１０／抵抗Ｒ９に依存する。
【００３０】
上記第２差動増幅部Ｅ４のアンプＡ４からの入出力電圧波形を、図３の（ｂ）に示す。
また、上記第２差動増幅部Ｅ４での演算は、以下の式（２）により行われる。
ＶＡ４ＯＵＴ＝ＶＤＥＴ＋（ＶＤＥＴ−ＶＡ３ＯＵＴ）・（Ｒ１０／Ｒ９）    ・・・式（２）
なお、上記「（ＶＤＥＴ−ＶＡ３ＯＵＴ）・（Ｒ１０／Ｒ９）」が、上記第２遅延差分値となる。
【００３１】
次に、第２差動増幅部Ｅ４のアンプＡ４から出力される遅延加算値ＶＡ４ＯＵＴは、出力用差動増幅部Ｂ３のアンプＡ５に入力される。
補償用サーミスタＲＴ２の出力（電圧）（ＶＲＥＦ）は、増幅率が１のバッファ部Ｂ１のアンプＡ１を経由して出力用差動増幅部Ｂ３のアンプＡ５に入力される。
【００３２】
サーミスタの電気抵抗は温度に依存するため、検知用および補償用の各サーミスタの出力電圧値は、センサが置かれた環境の温度に依存して変化する。
出力用差動増幅部Ｂ３のアンプＡ５においては、入力された遅延加算値ＶＡ４ＯＵＴと補償用サーミスタＲＴ２の出力ＶＲＥＦとの差に対応する差動出力（電圧）（ＶＤＩＦ）が出力される。
なお、差動出力ＶＤＩＦの増幅率は、抵抗Ｒ１２／抵抗Ｒ１１に依存する。
【００３３】
上記出力用差動増幅部Ｂ３のアンプＡ５からの入出力電圧波形を、図４の（ａ）に示す。
また、上記出力用差動増幅部Ｂ３での演算は、以下の式（３）により行われる。
ＶＤＩＦ＝ＶＡ４ＯＵＴ＋（ＶＡ４ＯＵＴ−ＶＲＥＦ）・（Ｒ１２／Ｒ１１）  ・・・式（３）
【００３４】
一方、しきい値設定回路部Ｃ２の抵抗Ｒ１３／抵抗Ｒ１４に依存した電圧値が比較演算のための判定用しきい値（電圧）ＶＴＨＲとして出力される。
最後に、差動出力ＶＤＩＦと判定用しきい値ＶＴＨＲとの大小に応じて加熱を制御する異常温度検出信号（信号出力ＶＣＯＭ）が比較演算部である異常温度判定回路部Ｃ３から出力される。すなわち、「ＶＤＩＦ−ＶＴＨＲ＞０」の場合に定着ローラの加熱を指示する異常温度検出信号ＶＣＯＭ、「ＶＤＩＦ−ＶＴＨＲ＜０」の場合に定着ローラの加熱停止を指示する異常温度検出信号ＶＣＯＭが、図４の（ｂ）に示すように、異常温度判定回路部Ｃ３から出力される。
【００３５】
本実施形態による差動出力ＶＤＩＦと、遅延加算回路部Ｅ１を有さない図６に示す参照回路の差動出力ＶＤＩＦとを比較した電圧波形とを図５に示す。また、その際の測定対象物の温度変化も合わせて図５に示す。
なお、上記参照回路は、図６に示すように、本実施形態の遅延加算回路部Ｅ１を設けず、直接、検知用サーミスタＲＴ１の出力ＶＤＥＴと補償用サーミスタＲＴ２の出力ＶＲＥＦとの差分による差動出力ＶＤＩＦの電圧を用いて異常温度の判定を行う回路となっている。
この図からわかるように、参考回路の差動出力ＶＤＩＦに比べて本実施形態の異常温度検出回路１における差動出力ＶＤＩＦは、その時間に対する出力カーブが急峻になって遅延が改善されている。
【００３６】
このように本実施形態の異常温度検出回路１では、遅延加算回路部Ｅ１が、検知用サーミスタＲＴ１の出力ＶＤＥＴを遅延させた遅延出力ＶＡ３ＩＮ＋を出力する遅延回路部Ｅ２と、遅延出力ＶＡ３ＩＮ＋に対する検知用サーミスタＲＴ１の出力ＶＤＥＴの差分に応じた第１遅延差分値と検知用サーミスタＲＴ１の出力ＶＤＥＴとを加算して初期加算値ＶＡ３ＯＵＴを出力する第１差動増幅部Ｅ３と、検知用サーミスタＲＴ１の出力ＶＤＥＴに対する初期加算値ＶＡ３ＯＵＴの差分に応じた第２遅延差分値と検知用サーミスタＲＴ１の出力ＶＤＥＴとを加算して遅延加算値ＶＡ４ＯＵＴとして出力とする第２差動増幅部Ｅ４とを備えているので、サーミスタ要因の応答特性の遅延を改善することができる。
【００３７】
すなわち、遅延出力ＶＡ３ＩＮ＋を用いた遅延加算回路部Ｅ１による差動出力ＶＤＩＦが、従来の差動出力のカーブに比べて急峻なカーブを描いて変化することで、サーミスタ要因の応答特性の立ち上がりが改善され、実際の測定対象物が判定用しきい値ＶＴＨＲの温度に達した際に、遅延無く異常温度検出信号ＶＣＯＭを出力することが可能になる。
【００３８】
また、遅延加算回路部Ｅ１が、検知用サーミスタＲＴ１が検知した温度が上昇する場合以外で遅延出力ＶＡ３ＩＮ＋を出力しない遅延防止回路部Ｅ５を備えているので、検知用サーミスタＲＴ１が検知した温度が下降する場合に、遅延出力ＶＡ３ＩＮ＋を用いた遅延加算回路部Ｅ１による差動出力ＶＤＩＦであると逆効果となり、逆に測定対象物の温度とのずれが大きくなってしまうことを防止できる。
【００３９】
また、遅延回路部Ｅ２が、前記遅延の遅延量を調整可能なコンデンサＣ０を備えているので、コンデンサＣ０の容量設定に応じて遅延量を容易に調整することができる。
したがって、本実施形態の異常温度検出回路１では、検知用サーミスタＲＴ１が、画像形成装置の定着ローラの温度を測定する温度センサであることで、定着ローラの高温異常を高精度に検知して加熱を停止させることが可能になる。
【００４０】
なお、本発明の技術範囲は上記実施形態に限定されるものではなく、本発明の趣旨を逸脱しない範囲において種々の変更を加えることが可能である。
【符号の説明】
【００４１】
１…異常温度検出回路、Ｂ３…出力用差動増幅部、Ｃ０…コンデンサ、Ｃ１…差動出力算出回路部、Ｃ２…しきい値設定回路部、Ｃ３…異常温度判定回路部、Ｅ１…遅延加算回路部、Ｅ２…遅延回路部、Ｅ３…第１差動増幅部、Ｅ４…第２差動増幅部、Ｅ５…遅延防止回路部、ＲＴ１…検知用サーミスタ、ＲＴ２…補償用サーミスタ
【図１】
2019138823.tif 000003
【図２】
2019138823.tif 000004
【図３】
2019138823.tif 000005
【図４】
2019138823.tif 000006
【図５】
2019138823.tif 000007
【図６】
2019138823.tif 000008
【図７】
2019138823.tif 000009